(57)【要約】【課題】香料造粒物の融点を上昇させることによって、保存安定性を向上させ、その利用価値を高めることのできる香料造粒物を提供する。【解決手段】次の成分（Ａ）、（Ｂ）及び（Ｃ）：  （Ａ）オレイル基又はオレオイル基を有する液体非イオン界面活性剤  １．５質量％以上２０質量％以下、  （Ｂ）香料  （Ｃ）ポリオキシアルキレンを含有する香料造粒物。【選択図】なし【特許請求の範囲】
【請求項１】
次の成分（Ａ）、（Ｂ）及び（Ｃ）：
（Ａ）オレイル基又はオレオイル基を有する液体非イオン界面活性剤  １．５質量％以上２５質量％以下、
（Ｂ）香料
（Ｃ）ポリオキシアルキレン
を含有する香料造粒物。
【請求項２】
成分（Ｃ）の数平均分子量が、２０００以上である請求項１に記載の香料造粒物。
【請求項３】
成分（Ｃ）が、ポリエチレングリコールである請求項１又は２に記載の香料造粒物。
【請求項４】
成分（Ｂ）のＣｌｏｇＰ値が、２以上６以下である請求項１〜３のいずれか１項に記載の香料造粒物。
【請求項５】
成分（Ｂ）に対する成分（Ｃ）の質量比（（Ｃ）／（Ｂ））が、３以上２０以下である請求項１〜４のいずれか１項に記載の香料造粒物。
【請求項６】
請求項１〜５のいずれか１項に記載の香料造粒物を含有する浴用剤。
【発明の詳細な説明】
【技術分野】
【０００１】
本発明は、香料造粒物に関する。
【背景技術】
【０００２】
従来より、リラックス感やリフレッシュ感等をもたらす上で香りを楽しむことは有効であり、浴用剤等の配合成分として、香料を造粒してなる香料造粒物が用いられている。香料は揮発性の高い成分を含むため、その安定性を高めたり、香りの変動を抑制したりする研究が多々行われている。
【０００３】
例えば、特許文献１〜２には、ポリエチレングリコール等の特定の水溶性高分子と香料とを含む粒子が開示されており、かかる粒子を含有する浴用剤において、保存中における香りの変化の抑制や香りの安定性を確保し、保存安定性や成形性の向上を図っている。また、特許文献３には、特定の脂肪酸アルコール又は炭化水素、及びポリエチレングリコールを特定の量比で含有する香料造粒物が開示され、浴用発泡錠剤の製造時における打錠性を高めており、特許文献４においても、ポリエチレングリコール及び香料等を含む粒子を含有する浴用剤が開示されている。
【０００４】
一方、香料の分散性や浴用剤の浴水における分散性等を高める上で、非イオン界面活性剤を粒子に配合するのが有効であることも知られている。例えば、特許文献５には、香料成分、非イオン界面活性剤及びポリエチレングリコール等の水溶性高分子を含む香料粒子が開示されており、これを含有する発泡性錠剤は、適度な香り立ちと良好な高温安定性をもたらし得るものである。
【先行技術文献】
【特許文献】
【０００５】
【特許文献１】特開２０００−２２９８４３号公報
【特許文献２】特開２００９−７３０３号公報
【特許文献３】特開２００８−３０３１９４号公報
【特許文献４】特開２００９−１６１４３９号公報
【特許文献５】特開２０１２−１２３４６号公報
【発明の概要】
【発明が解決しようとする課題】
【０００６】
しかしながら、非イオン界面活性剤のなかでも液体のものは、固体のものと比べて香料とともに配合する際に比較的手間がかからないものの、多量に配合すると保存安定性が低下するおそれがあることが判明した。こうしたなか、香料造粒物の保存安定性を十分に高めるには、香料造粒物自体の融点を上昇させるのが効果的ではあるものの、いずれの文献に記載の香料造粒物においても、未だ十分な検討がなされておらず、依然検討の余地がある。
【０００７】
したがって、本発明は、香料造粒物の融点を上昇させることによって、保存安定性を向上させ、その利用価値を高めることのできる香料造粒物に関する。
【課題を解決するための手段】
【０００８】
そこで本発明者らは、種々検討したところ、特定の液体非イオン界面活性剤を特定量で含有し、かつ香料及びポリオキシアルキレンを含有する香料造粒物であれば、効果的に香料造粒物の融点を上昇させることができることを見出した。
【０００９】
すなわち、本発明は、次の成分（Ａ）、（Ｂ）及び（Ｃ）：
（Ａ）オレイル基又はオレオイル基を有する液体非イオン界面活性剤  １．５質量％以上２０質量％以下、
（Ｂ）香料
（Ｃ）ポリオキシアルキレン
を含有する香料造粒物に関するものである。
【発明の効果】
【００１０】
本発明によれば、香料造粒物の融点を効果的に高めることができるので、かかる香料造粒物の保存安定性、とくに高温下における保存安定性を向上させることができ、香料造粒物そのもの単独で活用することができるとともに、浴用剤等の配合成分としても適用でき、種々の分野においてその利用価値を高めることが可能である。
【発明を実施するための形態】
【００１１】
以下、本発明について詳細に説明する。
本発明の香料造粒物は、オレイル基又はオレオイル基を有する液体非イオン界面活性剤（Ａ）を１．５質量％以上２０質量％以下含有する。液体非イオン界面活性剤（Ａ）は、室温（２５℃）で液体の非イオン界面活性剤であり、オレイル基又はオレオイル基を有している。液体非イオン界面活性剤は、通常香料造粒物の融点を低下させる傾向にあるが、本発明では、特定の液体非イオン界面活性剤である成分（Ａ）を特定の量で含有することにより、本発明の香料造粒物の融点を効果的に高め、保存安定性の向上を図ることができる。
【００１２】
オレイル基又はオレオイル基を有する液体非イオン界面活性剤（Ａ）としては、香料造粒物の融点を効果的に高める観点から、成分（Ａ）の（エチレンオキシ基の平均付加モル数）／（エチレンオキシ基を有する側鎖の総数）の値が、好ましくは０以上である。そして同様の観点から、好ましくは１０以下であり、さらに好ましくは８以下である。加えて、香料造粒物の融点を効果的に高める観点から、成分（Ａ）のＨＬＢは、好ましくは１以上である。そして同様の観点から、好ましくは１４以下であり、より好ましくは１３以下である。
【００１３】
オレイル基又はオレオイル基を有する液体非イオン界面活性剤（Ａ）としては、具体的には、例えば、エチレンオキシ基の付加モル数１〜６０であるモノ−、ジ−、トリ−又はテトラ−オレイン酸ポリオキシエチレンソルビット；エチレンオキシ基の付加モル数１〜３０であるポリオキシエチレンオレイルエーテル；ソルビタンモノ−オレート又はソルビタントリ−オレート；エチレンオキシ基の付加モル数１〜３０であるポリオキシエチレンソルビタンモノオレエート又はポリオキシエチレンソルビタントリオレエート等が挙げられる。これらは１種単独で用いてもよく、２種以上組み合わせて用いてもよい。
【００１４】
なかでも、香料造粒物の融点を効果的に高める観点から、テトラ−オレイン酸ポリオキシエチレンソルビットのエチレンオキシ基の付加モル数は、好ましくは３０〜６０であり、より好ましくは４０〜６０である。また、ポリオキシエチレンソルビタンモノオレエート又はポリオキシエチレンソルビタントリオレエートのエチレンオキシ基の付加モル数は、好ましくは６〜３０であり、より好ましくは２０〜３０である。
【００１５】
好ましい成分（Ａ）としては、より具体的には、例えば、テトラオレイン酸ポリオキシエチレン（４０〜６０）ソルビット、ポリオキシエチレン（４〜９）オレイルエーテル、ソルビタンモノオレート、ポリオキシエチレン（６〜２０）ソルビタンモノオレート、ソルビタンモノオレート、ポリオキシエチレン（６〜２０）ソルビタントリオレートが挙げられる。なかでも、香料造粒物の融点を効果的に低める観点から、ソルビタンモノオレート、ポリオキシエチレン（８〜９）オレイルエーテル、テトラオレイン酸ポリオキシエチレン（４０）ソルビットがより好ましく、ソルビタンモノオレート、ポリオキシエチレン（８〜９）オレイルエーテルがさらに好ましい。
【００１６】
成分（Ａ）の含有量は、香料造粒物の融点を効果的に高める観点から、１．５質量％以上２５質量％以下であって、好ましくは２質量％以上であり、より好ましくは５質量％以上であり、さらに好ましくは１０質量％以上である。そして、同様の観点から、好ましくは２０質量％以下であり、より好ましくは１８質量％以下であり、さらに好ましくは１６質量％以下である。また、好ましくは２〜２０質量％であり、より好ましくは５〜１８質量％であり、さらに好ましくは１０〜１６質量％である。
【００１７】
本発明の香料造粒物は、香料（Ｂ）を含有する。かかる成分（Ｂ）としては、特に制限されず、種々の香料を用いることができ、良好な保存安定性を確保する観点から、例えばＣｌｏｇＰ値が２より大きく６以下の香料を好ましく用いることができる。
【００１８】
ここで、「ｌｏｇＰ値」とは、化合物の１−オクタノール／水の分配係数の対数値であり、１−オクタノールと水の２液相の溶媒系に化合物が溶質として溶け込んだときの分配平衡において、それぞれの溶媒中での溶質の平衡濃度の比を意味し、底10に対する対数「ｌｏｇＰ」の形で一般的に表される。すなわち、ｌｏｇＰ値は親油性（疎水性）の指標であり、この値が高いほど疎水的であり、値が小さいほど親水的である。
【００１９】
ｌｏｇＰ値については、例えばDaylight Chemical Information Systems, Inc.（Daylight CIS）等から入手し得るデータベースに掲載されているｌｏｇＰ値を実測値として参照することができるが、プログラム"ＣＬＯＧＰ"（Daylight CIS）等で計算することができる。
【００２０】
プログラム"ＣＬＯＧＰ"においては、Hansch，Leoのフラグメントアプローチにより算出される「計算ｌｏｇＰ（ＣｌｏｇＰ）」の値が、ｌｏｇＰの実測値がある場合にはそれと共に出力される。上記フラグメントアプローチは、化合物の化学構造に基づいており、原子の数及び化学結合のタイプを考慮している（A. Leo, Comprehensive Medicinal Chemistry, Vol.4, C.Hansch, P. G. Sammens, J. B. Taylor and C. A. Ramsden. Eds., P.295, Pergamon Press, 1990）。このＣｌｏｇＰ値は、現在最も一般的で信頼できる推定値であり、本発明においては、ＣｌｏｇＰ値とは、これを意味する。
【００２１】
本発明で用いることのできるＣｌｏｇＰ≦２の香料としては（かっこ内の数値はＣｌｏｇＰ値である）、アルデヒドC-6（1.892）、アニスアルデヒド（1.779）、ベンジルアセテート（1.960）、ベンジルアルコール（1.104）、カローン（1.803）、カントキサール（1.951）、シス-3-ヘキセノール（1.397）、クマリン（1.412）、エチルアセテート（0.711）、エチルアセトアセテート（0.333）、エチルブチレート（1.769）、エチルマルトール（0.467）、エチルバニリン（1.804）、フルクトン（0.846）、ヘリオナール（1.387）、ヘリオトロピン（1.138）、ヒドロキシシトロネラール（1.541）、インドフロールクリスタル（1.331）、リナロールオキサイド（1.500）、マルトール（-0.062）、メチルジャスモネート（1.935）、フェニルエチルアルコール（1.183）、フェノキシエタノール（1.188）、フェニルプロピルアルコール（1.712）、プレニルアセテート（1.684）、ラズベリーケトン（1.072）、スチラリルアルコール（1.413）、バニリン（1.275）等が挙げられる。
【００２２】
本発明で用いることのできる２＜ＣｌｏｇＰ≦４である香料としては、アンバーコア（3.969）、α-ダマスコン（3.620）、アルデヒドC-14（3.830）、アルデヒドC-16（2.772）、アリルアミルグリコレート（2.507）、ベンジルベンゾエート（3.879）、3-(4-tert-ブチルフェニル)プロパナール（3.549）、シス-3-ヘキセニルアセテート（2.343）、シトラール（3.120）、シトロネロール（3.253）、δ-ダマスコン（3.620）、ジヒドロミルセノール（3.033）、ダイナスコン（3.630）、エチル2-メチルブチレート（2.078）、ユーカリプトール（2.755）、オイゲノール（2.397）、フロラロゾン（3.459）、フロロパル（3.430）、フルテート（3.70）、ゲラニオール（2.769）、ゲラニルアセテート（3.715）、ヘキシルアセテート（2.827）、インドール（2.132）、イソアミルアセテート（2.168）、ヨノンアルファ（3.710）、ヨノンベータ（3.770）、ラクトン C-10ガンマ（3.301）、リリアール（3.858）、リナロール（2.549）、リナリルアセテート（3.495）、マイヨール（3.333）、l-メントール（3.233）、l-メントン（2.831）、リラール（2.150）、マンザネート（2.607）、メチルジヒドロキシジャスモネート（2.419）、パンプルフルール（3.039）、フェノキシエチル イソブチレート（2.923）、ポアレネート（3.670）、リュバフラン（2.772）、ローズオキサイド（2.896）、スチラリルアセテート（2.269）、スチラリルプロピオネート（2.798）、ターピネオール（2.629）、ターピニルアセテート（3.575）、テトラヒドロリナロール（3.517）、テトラヒドロムゴール（3.517）、トリシクロデセニルアセテート（2.357）、トリシクロデセニルプロピオネート（2.886）、トリプラール（2.361）、ウンデカベルトール（3.692）等が挙げられる。
【００２３】
本発明で用いることのできる４＜ＣｌｏｇＰ≦６である香料としては、アセチルセドレン（4.233）、アルデヒドC-10（4.008）、アンブロキサン（5.266）、アミルシンナミックアルデヒド（4.324）、アミルサリシレート（4.561）、β-ピネン（4.182）、β-ダマスコン（4.710）、ベンジルサリシレート（4.213）、ボイサンブレンフォルテ（5.480）、セドリルメチルエーテル（5.106）、シス-3-ヘキセニルベンゾエート（4.272）、シス-3-ヘキセニルヘキサノエート（4.459）、シス-3-ヘキセニルサリシレート（4.606）、シトロネリルアセテート（4.199）、シトロネリルニトリル（4.364）、シクロヘキシルサリシレート（4.476）、ダマセノン（4.286）、ジフェニルオキサイド（4.240）、エチレンブラシレート（4.622）、ファルネソール（4.800）、フロラマット（4.508）、γ-ターピネン（4.352）、ゲラニルプロピオネート（4.244）、ヘキシルシンナミックアルデヒド（4.853）、ヘキシルサリシレート（5.090）、イソイースーパー（4.650）、イソアミルサリシレート（4.431）、イソロンギフォラノン（4.128）、ラクトンC-12 デルタ（4.389）、ラクトンC-12 ガンマ（4.359）、レモニル（4.409）、リグストラールエスビー（5.036）、リモネン（4.352）、メチルヨノン-G（4.019）、ムスクC-14（4.063）、ネクタリル（4.438）、ネロリドール（4.580）、o-t-ブチルシクロヘキシルアセテート（4.059）、p-メンタン（5.320）、p-シメン（4.868）、フェニルエチルサリシレート（4.392）、p-t-ブチルシクロヘキシルアセテート（4.059）、サンダルシンス（4.518）、ターピノレン90（4.352）、2,2,5-トリメチル-5-ペンチルシクロペンタン-1-オン（4.498）等が挙げられる。これらは１種単独で用いてもよく、２種以上組み合わせて用いてもよい。
【００２４】
なかでも、優れた保存安定性を保持しつつ香りの変動を抑制する観点から、ＣｌｏｇＰ値が２より大きく６以下である香料が好ましく、ＣｌｏｇＰ値が４より大きく６以下である香料がより好ましく、ＣｌｏｇＰ値が４より大きく５以下である香料がより好ましい。より具体的には、ダマセノン、β−ダマスコン、エチレンブラシレート、アンブロキサン、β-ピネン、イソロンギフォラノン、リモネン、p-メンタン、p-シメン及びターピノレン90から選ばれる１種又は２種以上が好ましく、ダマセノン、β−ダマスコン、エチレンブラシレート、β-ピネン、イソロンギフォラノン、リモネン、p-メンタン、p-シメン及びターピノレン90から選ばれる１種又は２種以上がより好ましく、ダマセノン、β−ダマスコン、エチレンブラシレート、アンブロキサンがさらに好ましい。
【００２５】
成分（Ｂ）の含有量は、良好な香り立ちやその持続性を確保する観点から、本発明の香料造粒物中に、好ましくは５質量％以上であり、さらに好ましくは１０質量％以上である。そして、同様の観点から、好ましくは３０質量％以下であり、さらに好ましくは２０質量％以下である。
【００２６】
また、上記成分（Ａ）に対する成分（Ｂ）の質量比（（Ｂ）／（Ａ））は、保存安定性をより高める観点から、好ましくは０．２５以上であり、より好ましくは０．５以上であり、さらに好ましくは１以上である。そして、同様の観点から、好ましくは１０以下であり、より好ましくは６以下であり、さらに好ましくは３以下である。
【００２７】
本発明の香料造粒物は、ポリオキシアルキレン（Ｃ）を含有する。かかる成分（Ｃ）は、上記成分（Ａ）とともに保存安定性を高めつつ、良好な造粒性及び保形性を確保することができる。かかるポリオキシアルキレン（Ｃ）としては、ポリアルキレングリコール、ポリアルキレングリコールのアルキルエーテル、ポリアルキレングリコールのグリセリルエーテル、ポリアルキレングリコールのペンタエリスリトールエーテル、ポリアルキレングリコールのトリメチロールプロパンエーテル、ポリアルキレングリコールのアルキレングリコールエーテル等が挙げられる。これらは１種単独で用いてもよく、２種以上組み合わせて用いてもよい。なかでも、優れた保存安定性を保持しつつ良好な造粒性及び保形性を確保する観点から、ポリアルキレングリコールが好ましい。
【００２８】
ポリアルキレングリコールとしては、炭素数２〜４のオキシアルキレン基、例えばオキシエチレン基、オキシプロピレン基、オキシブチレン基を有するものが挙げられ、具体的には、例えば、ポリエチレングリコール、ポリプロピレングリコール、ポリブチレングリコール、ポリオキシエチレンポリオキシプロピレングリコール等が挙げられる。なかでも、良好な造粒性及び保形性を確保する観点から、ポリエチレングリコールが好ましく、数平均分子量２０００以上のポリエチレングリコールがより好ましく、数平均分子量４０００〜２００００のポリエチレングリコールがさらに好ましい。なお、ポリエチレングリコールの数平均分子量を測定する場合には、溶媒として水／エタノールを用い、ポリスチレンを標準としたＧＰＣ法を用いる。
【００２９】
成分（Ｃ）の含有量は、優れた保存安定性を保持しつつ良好な造粒性及び保形性を確保する観点から、本発明の香料造粒物中に、好ましくは５０質量％以上であり、さらに好ましくは６０質量％以上である。そして、同様の観点から、好ましくは９０質量％以下であり、さらに好ましくは８０質量％以下である。
【００３０】
また、上記成分（Ｂ）に対する成分（Ｃ）の質量比（（Ｃ）／（Ｂ））は、良好な造粒性及び保形性を確保して保存安定性を高める観点から、好ましくは３以上であり、より好ましくは４以上であり、さらに好ましくは５以上である。そして、同様の観点から、好ましくは１５以下であり、より好ましくは１０以下であり、さらに好ましくは８以下である。
【００３１】
本発明の香料造粒物は、本発明の効果を阻害しない範囲内で、上記成分（Ａ）〜（Ｃ）以外の油性成分や水溶性高分子等の成分を適宜含有してもよい。
【００３２】
本発明の香料造粒物の融点が効果的に高められることは、具体的には、示差熱量分析計を用いて下記式（I）により求められる５０℃における溶融率（％）が、低い値を示すことにより確認することができる。
５０℃における溶融率（％）＝
（５０℃に昇温するまでの溶融面積／香料粒子の溶融面積の総和）×100・・・（I）
より具体的には、本発明の香料造粒物の５０℃における溶融率は、好ましくは１％以上であり、より好ましくは３％以上であり、さらに好ましくは５％以上である。そして、同様の観点から、好ましくは２０％以下であり、より好ましくは１８％以下であり、さらに好ましくは１５％以下である。
【００３３】
本発明の香料造粒物を製造するには、液体の成分を用いつつ容易に造粒物を製造する観点から、溶融造粒法を用いるのが好ましく、なかでも板状滴下溶融造粒法を用いるのが好ましい。かかる板状滴下溶融造粒法を用いる場合、上記成分（Ｃ）を加熱溶融して上記成分（Ａ）〜（Ｂ）及び適宜その他成分を混合した後、平滑な板状物の上に滴下し、固化及び造粒することにより、香料造粒物を得る。得られる香料造粒物の平均粒径は、好ましくは１００〜５０００μｍ、より好ましくは３００〜２０００μｍである。なお、かかる平均粒径は、乾式篩法により測定される値を意味する。
【００３４】
本発明の香料造粒物は、そのまま香料粒子として用いてもよく、浴用剤（例えば、錠剤型浴用剤、ブリケット型浴用剤、顆粒型浴用剤、粉末型浴用剤等）や洗浄剤等、種々の剤に配合される成分として用いてもよい。浴用剤に配合する場合、本発明の香料造粒物の含有量は、良好な香り立ちを確保する観点から、浴用剤中に好ましくは１〜３０質量％、より好ましくは５〜２０質量％である。かかる浴用剤には、炭酸塩及び有機酸を含有させて、発泡性浴用剤とすることもでき、また通常浴用剤に用いられるそのほかの成分、例えば、油脂、アルコール、薬効成分、色素等を含有させてもよい。
【００３５】
本発明の香料造粒物は融点が高められて保存安定性に優れるため、香料の漏出や香りの変動を抑制することができ、香料粒子としての単独使用にも十分適用可能である。また、例えば、浴用剤等に配合して錠剤等の形態に成形する際にも良好な保形性を保持することができ、打錠工程においても優れた打錠性を確保することができる。
【００３６】
上述した実施態様に関し、本発明はさらに以下の香料造粒物及び浴用剤を開示する。
［１］次の成分（Ａ）、（Ｂ）及び（Ｃ）：
（Ａ）オレイル基又はオレオイル基を有する液体非イオン界面活性剤  １．５〜２５質量％、
（Ｂ）香料
（Ｃ）ポリオキシアルキレン
を含有する香料造粒物。
［２］成分（Ａ）は、好ましくはエチレンオキシ基の付加モル数１〜６０であるモノ−オレイン酸ポリオキシエチレンソルビット、エチレンオキシ基の付加モル数１〜６０であるジ−オレイン酸ポリオキシエチレンソルビット、エチレンオキシ基の付加モル数１〜６０であるトリ−オレイン酸ポリオキシエチレンソルビット、エチレンオキシ基の付加モル数１〜６０であるテトラ−オレイン酸ポリオキシエチレンソルビット、エチレンオキシ基の付加モル数１〜３０であるポリオキシエチレンオレイルエーテル、ソルビタンモノ−オレート、ソルビタントリ−オレート、エチレンオキシ基の付加モル数１〜３０であるポリオキシエチレンソルビタンモノオレエート、及びエチレンオキシ基の付加モル数１〜６０であるポリオキシエチレンソルビタントリオレエートから選ばれる１種又は２種以上である上記［１］の香料造粒物。
【００３７】
［３］成分（Ａ）は、より好ましくはテトラオレイン酸ポリオキシエチレン（４０〜６０）ソルビット、ポリオキシエチレン（４〜９）オレイルエーテル、ソルビタンモノオレート、ポリオキシエチレン（６〜２０）ソルビタンモノオレート、ソルビタンモノオレート、及びポリオキシエチレン（６〜２０）ソルビタントリオレートから選ばれる１種又は２種以上であり、さらに好ましくはテトラオレイン酸ポリオキシエチレン（４０）ソルビットである上記［１］又は［２］の香料造粒物。
［４］成分（Ａ）の含有量は、好ましくは２．０質量％以上であり、より好ましくは５質量％以上であり、さらに好ましくは１０質量％以上であり、好ましくは２０質量％以下であり、より好ましくは１８質量％以下であり、さらに好ましくは１６質量％以下である上記［１］〜［３］の香料造粒物。
【００３８】
［５］成分（Ｂ）のＣｌｏｇＰ値は、好ましくは２より大きく〜６以下であり、より好ましくは４より大きく〜６以下であり、さらに好ましくは４より大きく〜５以下である上記［１］〜［４］の香料造粒物。
［６］成分（Ｂ）の含有量は、好ましくは５質量％以上であり、さらに好ましくは１０質量％以上であり、好ましくは３０質量％以下であり、さらに好ましくは２０質量％以下である上記［１］〜［５］の香料造粒物。
【００３９】
［７］成分（Ｃ）は、好ましくはポリアルキレングリコール、ポリアルキレングリコールのアルキルエーテル、ポリアルキレングリコールのグリセリルエーテル、ポリアルキレングリコールのペンタエリスリトールエーテル、ポリアルキレングリコールのトリメチロールプロパンエーテル、及びポリアルキレングリコールのアルキレングリコールエーテルから選ばれる１種又は２種以上である上記［１］〜［６］の香料造粒物。
［８］成分（Ｃ）は、より好ましくは炭素数２〜４のオキシアルキレン基を有し、さらに好ましくはポリエチレングリコール、ポリプロピレングリコール、ポリブチレングリコール、及びポリオキシエチレンポリオキシプロピレングリコールから選ばれる１種又は２種以上である上記［１］〜［７］の香料造粒物。
［９］成分（Ｃ）は、またさらに好ましくは数平均分子量２０００以上のポリエチレングリコールであり、より好ましくは数平均分子量４０００〜２００００のポリエチレングリコールである上記［１］〜［８］の香料造粒物。
［１０］成分（Ｃ）の含有量は、好ましくは５０質量％以上であり、さらに好ましくは６０質量％以上であり、好ましくは９０質量％以下であり、さらに好ましくは８０質量％以下である上記［１］〜［９］の香料造粒物。
【００４０】
［１１］成分（Ａ）に対する成分（Ｂ）の質量比（（Ｂ）／（Ａ））は、好ましくは０．２５以上であり、より好ましくは０．５以上であり、さらに好ましくは１以上であり、好ましくは１０以下であり、より好ましくは６以下であり、さらに好ましくは３以下である上記［１］〜［１０］の香料造粒物。
［１２］成分（Ｂ）に対する成分（Ｃ）の質量比（（Ｃ）／（Ｂ））は、好ましくは３以上であり、より好ましくは４以上であり、さらに好ましくは５以上であり、好ましくは１５以下であり、より好ましくは１０以下であり、さらに好ましくは８以下である上記［１］〜［１１］の香料造粒物。
【００４１】
［１３］下記式（I）により求められる５０℃における溶融率（％）は、好ましくは１％以上であり、より好ましくは３％以上であり、さらに好ましくは５％以上である。そして、同様の観点から、好ましくは２０％以下であり、より好ましくは１８％以下であり、さらに好ましくは１５％以下である上記［１］〜［１２］の香料造粒物。
５０℃における溶融率（％）＝
（５０℃に昇温するまでの溶融面積／香料粒子の溶融面積の総和）×100・・・（I）
［１４］上記［１］〜［１３］のいずれかの香料造粒物を含有する浴用剤。
［１５］香料造粒物の含有量は、好ましくは１〜３０質量％、より好ましくは５〜２０質量％である上記［１４］の浴用剤。
【実施例】
【００４２】
以下、本発明について、実施例に基づき具体的に説明する。なお、表中に特に示さない限り、各成分の含有量は質量％を示す。
【００４３】
［実施例１〜１３、比較例１〜８］
表１〜２に示す処方に従い、予め成分（Ｃ）を７０℃で溶融した後、残余の成分を加えて溶解し、均一に混合した。次いで、これを６０℃の平板に滴下し、平均粒径１０００μｍの造粒物を得た。
得られた造粒物を用い、下記方法にしたがって５０℃における溶融率（％）を求めた。
なお、表１〜２に示す成分（Ｂ）の香料の詳細については、以下のとおりである。
ローズ系調合香料：ダマセノン、β−ダマスコン、エチレンブラシレート、アンブロキサン
【００４４】
《５０℃における溶融率（％）》
示差熱量分析計（ＥＸＴＡＲ６０００、エスアイアイ・ナノテクノロジー（株）製）を用い、スキャン速度５℃／分、測定温度範囲１５〜８０℃の条件下、下記式（I）により求めた。
５０℃における溶融率（％）＝
（５０℃に昇温するまでの溶融面積／香料粒子の溶融面積の総和）×100・・・（I）
結果を表１〜２に示す。
【００４５】
【表１】
2014114353.tif 000002
【００４６】
【表２】
2014114353.tif 000003
【００４７】
表１〜２の結果によれば、特定の液体非イオン界面活性剤を特定量で含有し、かつ香料及びポリオキシアルキレンを含有する実施例１〜１３の香料造粒物は、比較例１〜８の香料造粒物に比して、５０℃における溶融率が低く、効果的に融点が上昇していることがわかる。